(57)【要約】【課題】含浸される油性成分の選定と、油性成分の含浸量及び乳化物の粒子径の分布割合に着目し、しっとり感があって、便の拭き取り性に優れた水分含有量の少ない便の拭取シートを提供する。【解決手段】０．１〜０．４質量％のオリーブオイルを含有する乳化物が不織布に含浸されている。好ましくは、乳化物は、粒子径が１μｍ以上のミセルを２０％以下の個数百分率に抑える。より好ましくは、乳化物の含浸量を不織布に対して２００〜３５０質量％とする。【選択図】図１
2017136189.tif 000002
【特許請求の範囲】
【請求項１】
０．１〜０．４質量％のオリーブオイルを含有する乳化物が不織布に含浸され、
前記乳化物は、ミセルの粒子径が１μｍ以上のミセルを０．１％以上、２０％以下の個数百分率で含有している水分含有量の少ない便の拭取シート。
【請求項２】
請求項１に記載の水分含有量の少ない便の拭取シートであって、
前記乳化物の含浸量が、前記不織布１００質量％に対して２００〜３５０質量％である水分含有量の少ない便の拭取シート。
【発明の詳細な説明】
【技術分野】
【０００１】
本発明は、不織布に乳化物が含浸された水分含有量の少ない便の拭取シートに関する。
【背景技術】
【０００２】
近年、乳幼児の使い捨ておむつ等の交換時に使用するおしりや排泄部に付いた便や尿等の汚れを拭き取るためのウェットタイプの使い捨てのシートとして、清浄シート（湿潤ワイパー、ウェットティッシュなどとも呼ばれる）が知られている。この清浄シートは、用途に応じて選定された清浄剤、殺菌剤等からなる薬液を紙や布等の基材に含浸させているが、肌に保湿効果が得られるように、油性成分を配合した薬液を含浸させた清浄シートも提案されている。
【０００３】
一般に、乳幼児には、衛生面から保護者による頻繁な清拭が行われる。この頻繁な清拭は、衛生上必要ではあるものの、必要な皮脂成分をも除去してしまうため、衛生面に配慮すると共に、肌の保護にも配慮しなければならず、十分な肌への保湿効果が求められる。これに対して、被介護者の場合は、定時におむつ交換が行われることが多く、時間の経過等で固くなった便を拭き取ることが多い。そのため、便を軟らかくして、拭き取りやすい状態にすることが求められる。したがって、幼児用清浄シートは、保湿効果については配慮されているが、便を軟らかくすることまでは考えられていないため、油性成分の含浸量が十分ではなかった。すなわち、乳幼児用のお尻拭きは、介護現場には適用できなかった。
【０００４】
このため、介護の現場においては、便を軟らかくするために、食用のオリーブオイルを介護者が液量調整しながら直接不織布やタオル等に塗布して清拭を行っている。しかしながら、このような方法では手間やコストがかかるうえ、オリーブオイルの液量が多いと、皮膚がべとべとして使用感が悪く、場合によっては別のぬらしたタオルやウェットティッシュ等で再度拭き取るということが行われている。そこで、介護用に特化した油性成分を多く含む清浄シートを提供することが求められている。
【０００５】
油性成分を多く含むウェットティッシュとしては、例えば特許文献１に示すような、シート状化粧料が提案されている。このシート状化粧料は、水中油型エマルジョン組成物が含浸された多孔性又は吸収性シートにより特徴づけられ、該水中油型エマルジョン組成物が該エマルジョンの０．１重量％〜５重量％の油溶性湿潤剤を含有し、その際該油溶性湿潤剤が０．０５〜７ミクロンの範囲の平均粒度を有するというものである。
【０００６】
この特許文献１に記載のシート状化粧料によれば、乳化物のミセルの粒子径を特定の範囲に調製することから、時間経過と共に油性成分が分離することを防ぎ、製品としての安定性を向上できるとされている。
【先行技術文献】
【特許文献】
【０００７】
【特許文献１】特表２０００−５０３６８１号公報
【発明の概要】
【発明が解決しようとする課題】
【０００８】
しかしながら、特許文献１に記載のシート状化粧料の場合、乳化物のミセルの平均粒度を特定の範囲に調製することで、製品としての安定性を向上させることができたが、水分含有量の少ない便を拭き取る際に求められるしっとり感や、便の拭き取り性の向上には着目していなかった。
【０００９】
本発明は、従来のこのような事情に鑑みてなされたものである。本発明の目的の一は、含浸される油性成分の選定と、油性成分の含浸量及び乳化物のミセルの粒子径の分布割合に着目し、しっとり感があって、便の拭き取り性に優れた水分含有量の少ない便の拭取シートを提供することにある。
【課題を解決するための手段及び発明の効果】
【００１０】
本発明の第１の側面に係る水分含有量の少ない便の拭取シートによれば、０．１〜０．４質量％のオリーブオイルを含有する乳化物が不織布に含浸され、前記乳化物は、ミセルの粒子径が１μｍ以上のミセルを０．１％以上、２０％以下の個数百分率で含有するよう構成できる。前記構成により、油性成分には、便に対する洗浄効果があるが、本発明の油性成分は、そのなかでも便を柔らかくする効果のあるオレイン酸を主成分とするオリーブオイルが含有されているので、時間の経過等で硬くなった便を軟らかくし、肌を何度も強く擦らずとも容易に清浄することができる。
【００１１】
また、前記構成により、全乳化物に対するオリーブオイルの含有量が、０．１質量％以下であると肌への保湿効果や便の拭き取り性が低下してしまい、０．４質量％以上であると便の拭き取り性は向上するものの、べとついてしまうところ、全乳化物に対するオリーブオイルの含有量が０．１〜０．４質量％であるため、高い拭き取り性を発揮し、清拭後の肌に十分な保湿効果を与えながらも、肌へのべとつきを抑え、使用感に優れた水分含有量の少ない便の拭取シートを提供することができる。
【００１２】
また、前記構成の乳化物が、１μｍ以上のミセルを個数百分率で２０％以上含有すると、しっとり感が得られにくい。一方で、前記構成により、乳化物を、粒子径が１μｍ以上のミセルを個数百分率で０．１％以上、２０％以下の割合にした場合、しっとり感が得られる。これらのことから、１μｍ以上の粒子径のミセルが不織布の中では動きにくいという特性が考えられ、その移動度の違いに起因して、ミセルの不織布への含浸性が不均一になる可能性が考えられる。本発明の乳化物は、粒子径が１μｍ以上のミセルを個数百分率で０．１％以上、２０％以下の割合に抑えることで、乳化物が不織布全体に均一に行き渡り、しっとり感が得られ、便の拭き取り性を向上させることができると推察する。ここで、この乳化物中の、粒子径が１μｍ以上のミセルの割合の個数百分率の下限を０．１％としているのは、通常の攪拌機や乳化・分散機を用いても、０．１％未満とすることは難しかったためである。
【００１３】
また、前記構成により、乳化物の粒子径の分布割合が上記範囲内であれば、不織布に均一に乳化物を付与することができる。
【００１４】
本発明の第２の側面に係る水分含有量の少ない便の拭取シートによれば、乳化物の含浸量が、前記不織布１００質量％に対して２００〜３５０質量％であるよう構成できる。前記構成により、以下のような作用効果が得られる。従来、乳化物の含浸量が２００質量％未満では、含浸量が少なすぎるため洗浄作用が低下してしまい、３５０質量％を超えると、含浸量が多すぎるため、肌への液残り感が強くなるところ、乳化物の含浸量が、不織布に対して２００〜３５０質量％の範囲内とすることで、使用に際して好適な、水分含有量の少ない便の拭取シートを提供することができる。
【図面の簡単な説明】
【００１５】
【図１】本発明の第一実施例に係る便の拭き取り性、及び、しっとり感とオリーブオイルの関係性を評価するための実験条件及び結果を示す表である。
【図２】本発明の第二実施例に係る便の拭き取り性、及び、肌への液残りと含浸倍率の関係性を評価するための実験条件及び結果を示す表である。なお、含浸倍率とは、ウェットティッシュに含浸させた薬液の質量をウェットティッシュの基材である不織布の質量で除して算出された数値の百分率である。
【図３】本発明の第三実施例に係るミセルの粒子径と、しっとり感との関係性を評価するための実験条件を示す表である。
【図４】サンプル１３〜１７の乳化物において、図４Ａは、ミセルの粒度分布を示すグラフであり、図４Ｂは、ミセルの粒子径が１μｍ以上となる個数百分率を示す表である。
【図５】サンプル１３〜１７のミセルの粒子径１μｍ以上の個数百分率、及び、しっとり感の関係性の評価結果を示す表である。
【発明を実施するための形態】
【００１６】
以下、本発明を適用した具体的な実施の形態について、実験結果を参照しながら詳細に説明する。
【００１７】
本発明は、油性成分を界面活性剤で乳化させてなる乳化物を、不織布に含浸させて得られる水分含有量の少ない便の拭取シートである。
【００１８】
本実施形態で使用する油性成分としては、オリーブオイルが好適である。オリーブオイルの主成分は、オレイン酸であり、オレイン酸には便を軟らかくするという特性があるためであり、時間の経過等で硬くなった便を軟らかくし、肌を何度も強く擦らずとも容易に清浄することができる。
【００１９】
界面活性剤としては、人体への安全性が高い、例えば、ポリオキシエチレン硬化ヒマシ油及びポリオキシアルキレンアルキルエーテルが挙げられる。なお、この界面活性剤は何れかを単独で用いても、組み合わせて用いてもよい。
【００２０】
また、この乳化物には、保湿剤を含有することができる。保湿剤としては、例えば、ヒアルロン酸ナトリウム（１％液），プロピレングリコール，乳酸ナトリウム，スクワランが挙げられる。保湿剤の配合量としては、ヒアルロン酸ナトリウム０．００００１〜０．０００１質量％、プロピレングリコール３〜２０質量％、乳酸ナトリウム０．０１〜０．２質量％、スクワラン０．００１〜０．０５質量％の範囲であることが好ましい。
【００２１】
さらにまた、この乳化物には、細菌などの微生物の繁殖を抑えるため、殺菌剤や防腐剤を含有することができる。殺菌剤や防腐剤としては、例えば、パラオキシ安息香酸メチル，パラオキシ安息香酸エチル，パラオキシ安息香酸プロピル，塩化セチルピリジニウムが挙げられる。
【００２２】
さらにまた、この乳化物は、精製水を含有することができ、各成分の残部をなす。加えて、この乳化物は、前記以外に、通常の洗浄剤組成物に用いられる成分、例えば、前記成分以外の界面活性剤，保湿剤，殺菌剤，抗炎症剤，防腐剤，キレート剤，塩類，パール化剤，香料，冷感剤，色素，紫外線吸収剤，酸化防止剤，植物エキス等を含有することができる。
【００２３】
本実施形態で使用する不織布を構成する繊維としては、保水性及び肌触りの点から、例えば、レーヨン，パルプ，コットン，ポリエステル，ポリエチレン及びポリプロピレンの複合素材による熱融着繊維が挙げられる。この不織布の目付量は適宜選択が可能で、限定されるものではないが、強度及び柔軟性の点から、好ましくは、３０〜８０ｇ／ｍ２であり、より好ましくは、４５〜６０ｇ／ｍ２である。なお、この不織布の基材繊維は、保水性及び良好な肌触りを有していればよく、上記素材に限定されない。
【００２４】
続いて、本実施形態に係る水分含有量の少ない便の拭取シートの製造方法の概略を説明する。
（１）紙管に巻かれた不織布の原反から不織布の帯を繰り出す。
（２）（１）の不織布の帯の流れ方向と平行に1箇所又は複数箇所に折り目を入れて折る。
（３）例えば、５ｍｍ間隔で孔が形成され、これら複数の孔から乳化物を吐出可能なパイプを（２）の不織布の帯に接触させて、所定量の乳化物を含浸させる。
（４）（３）の不織布の帯を、流れ方向と垂直に所定の長さでカットする。
（５）（４）の不織布を流れ方向と垂直に折り目をつけて半分に折る。
（６）（５）の不織布を所定の枚数で積層する。
（７）（６）の不織布を多層フィルムに包装する。
【００２５】
上記製造方法により、断面が略Ｚ字状になるように折り畳まれたＺ折りや、断面が略Ｃ字状になるように折り畳まれたＣ折りなど、様々な折り方のシートを得ることができる。また、上記製造方法に限らず、下記製造方法としてもよい。
（１）紙管に巻かれた不織布の原反から不織布の帯を繰り出す。
（２）（１）の不織布の帯の流れ方向と平行に1箇所又は複数箇所に折り目を入れて折る。
（３）（２）の不織布の帯を所定の枚数に積層する。
（４）例えば、５ｍｍ間隔で孔が形成され、これら複数の孔から乳化物を吐出可能なパイプを不織布の帯１枚１枚の間に位置させ、所定量の乳化物を不織布1枚ごとに５ｍｍ間隔で含ませる。
（５）（４）の不織布の帯を積層した束を、束ごと流れ方向と垂直に所定の長さでカットする。
（６）（５）の不織布の束を多層フィルムに包装する。
【００２６】
なお、前述の本実施形態に係る水分含有量の少ない便の拭取シートの製造方法においては、一実施例にすぎず、不織布に乳化物を含浸させればよく、折り方や手順等には限定されない。
【００２７】
次に、本実施形態に係る乳化物の調製方法について説明する。本実施形態に係る乳化物は、下記の調製方法で得ることができる。ここでは、代表例としてサンプル２を例に説明する。
【００２８】
精製水９３．７３５質量％をタンク１（調合タンク）に入れ撹拌する。次に、エチレンジアミン四酢酸二ナトリウム塩０．０１質量％，乳酸ナトリウム０．１質量％，塩化セチルピリジニウム０．０３質量％，ヒアルロン酸ナトリウム（１％液）０．００５質量％を順次加えて撹拌し、これらを溶解させる。さらに、タンク２（溶解タンク）に、プロピレングリコール５質量％を入れて撹拌する。さらに、タンク３（溶解タンク）にポリオキシエチレン硬化ヒマシ油０．７質量％を入れて撹拌し、ポリオキシアルキレンアルキルエーテル０．０６質量％，常温のオリーブオイル０．０５質量％及びスクワラン０．０１質量％を加えて撹拌し、これらを溶解させる。タンク３内でこれらの溶解を確認したら、タンク２に加えて撹拌し、さらに溶解させる。タンク２内でこれらの溶解を確認できたら、パラオキシ安息香酸メチル０．２質量％，パラオキシ安息香酸エチル０．０８質量％，パラオキシ安息香酸プロピル０．０２質量％を順次加えて撹拌し、溶解させる。タンク２内の溶解が確認できたら、タンク１に加えて撹拌し、溶解させ、乳化物（１００質量％）を得る。
【００２９】
以下、各実施例に示すサンプル１及びサンプル３〜１７については、サンプル２と同様の調整方法で、組成物の含有量を変更して乳化物を得、前述の不織布に含浸させた。組成物の含有量等の詳細は、図１〜図５に示すとおりである。
（第一実施例）
【００３０】
乳化物中のオリーブオイルの含有量が多過ぎると便の拭き取り性は向上するものの、べとついてしまい、少なすぎると洗浄効果及び保湿効果が低下してしまうことから、便の拭き取り性、しっとり感を評価するために、オリーブオイル及び界面活性剤の含有量を変更して、便の拭き取り性、及び、しっとり感とオリーブオイルの関係性を評価するための実験を行った。本実施例の乳化物の調合には、プライミクス株式会社製の撹拌機「Ｔ．Ｋ．ホモディスパーｆモデル」を使用した。
（第一実施例の評価）
【００３１】
便の拭き取り性、しっとり感を下記基準で評価を行い、その結果を図１に示す。
（１）便の拭き取り性
○：４４人中３５人以上が良いと感じた。
△：４４人中２２人以上３５人未満が良いと感じた。
×：４４人中２２人未満が良いと感じた。
（２）しっとり感
べとつく        ：４２人中過半数がべとつくと感じた。
十分            ：４２人中過半数が十分と感じた。
足りない        ：４２人中過半数が足りないと感じた。
際だった特徴なし：「べとつく」「十分」「足りない」の評価が何れも過半数を超えなかった。
【００３２】
図１に示すように、全乳化物中、オリーブオイルの含有量が０．１〜０．４質量％、好ましくは０．２〜０．４質量％である場合に、高い拭き取り性、及び、保湿効果のバランスが最もよいことが明らかになった。また、サンプル１の実験結果から、ポリオキシエチレン硬化ヒマシ油が含有されていても、オリーブオイルを含有させない場合、十分なしっとり感を得られないことが分かった。
（第二実施例）
【００３３】
不織布への乳化物の含浸量が多いと便の拭き取り性は向上するものの、肌への液残り感は強くなり、少なすぎると洗浄効果が低下してしまうことから、便の拭き取り性、及び、肌への液残りを評価するために、第一実施例で良好な結果を得られたサンプル４の乳化物を用いて、不織布への含浸倍率を変更して、便の拭き取り性、及び、肌への液残りと含浸倍率の関係性を評価するための実験を行った。本実施例の乳化物の調合には、プライミクス株式会社製の撹拌機「Ｔ．Ｋ．ホモディスパーｆモデル」を使用した。
（第二実施例の評価）
【００３４】
便の拭き取り性、肌への液残り感を下記基準で評価を行い、その結果を図２に示す。
（１）便の拭き取り性
○：４４人中３５人以上が良いと感じた。
△：４４人中２２人以上３５人未満が良いと感じた。
×：４４人中２２人未満が良いと感じた。
（２）肌への液残り感
○：４４人中３５人以上が問題ないと感じた。（９人以下が、液が多すぎると感じた。）
△：４４人中２２人以上３５人未満が問題ないと感じた。（１０人以上、２２人以下が液が多すぎると感じた。）
×：４４人中２２人未満が問題ないと感じた。（２３人以上が、液が多すぎると感じた。）
【００３５】
図２に示すように、乳化物の不織布への含浸倍率が２００〜３５０質量％である場合に高い拭き取り性が得られ、また、肌への液残りが少なくべとつきを抑えられることが明らかとなった。
（第三実施例）
【００３６】
本発明の乳化物は、不織布へ含浸後、乳化粒子であるミセルの大きさによってしっとり感など使用感にも影響を与えることが分かった。ミセルの粒子径と、しっとり感及び乳化物の乳化状態の安定性との関係性を評価するために、組成物の含有量または撹拌機（ミキサーＡ：「Ｔ．Ｋ．ホモディスパーｆモデル」（プライミクス株式会社製）、ミキサーＢ：「Ｔ．Ｋ．ホモミクサーＭＡＲＫ２ｆモデル」（プライミクス株式会社製））を変更して、全乳化物中の粒子径１μｍ以上の個数割合を確認する実験を行った。ミセルの粒度分布は、「レーザー回折散乱式粒度分布測定機器ＬＭＳ−２０００ｅ」（株式会社セイシン企業製）を用いて測定した。
【００３７】
図３は、ミセルの粒子径、及び、しっとり感の関係性を評価するための実験条件を示す表である。また、図４Ａは、図３に示すサンプル１３〜１７の乳化物において、前述の測定機器を用いて得たミセルの粒度分布を示すグラフであり、図４Ｂは、同サンプルにおいて、ミセルの粒子径が１μｍ以上となる個数百分率を示す表である。
（第三実施例の評価）
【００３８】
図５は、サンプル１３〜１７のミセルの粒子径１μｍ以上の個数百分率、及び、しっとり感の関係性を下記基準で評価を行った結果を示すものである。
（１）しっとり感
べとつく        ：４２人中過半数がべとつくと感じた。
十分            ：４２人中過半数が十分と感じた。
足りない        ：４２人中過半数が足りないと感じた。
際だった特徴なし：「べとつく」「十分」「足りない」の評価が何れも過半数を超えなかった。
【００３９】
図５に示すように、粒子径が１μｍ以上のミセルを２０％以下の個数百分率に抑えた場合に、充分な保湿効果を得ながらも、べとつきを抑えられることが分かった。言い換えると、粒子径が１μｍ以上のミセルを個数百分率で２０％以下に抑えると、乳化物が不織布全体に均一に行き渡り、不織布全体として十分なしっとり感を得ることができる。
【００４０】
以上の通り、本発明によれば、オリーブオイルの含有量は、０．１〜０．４質量％であり、乳化物の含浸量は、不織布に対して２００〜３５０質量％であり、粒子径が１μｍ以上のミセルを個数百分率で０．１％以上、２０％以下含有するよう乳化物を調製することで、十分な油性成分を配合した乳化物を用いながらも、従来の清浄用ウェットティッシュに比べて、乳化物の乳化状態、シート材への含浸状態及び便の拭き取り性を高めると共に、使用時における保湿機能及び使用感に優れた好適な水分含有量の少ない便の拭取シートを提供することができる。
【００４１】
なお、本発明は前述した実施の形態のみに限定されるものではなく、本発明の要旨を逸脱しない範囲において種々の変更が可能であることは勿論である。
【図１】
2017136189.tif 000003
【図２】
2017136189.tif 000004
【図３】
2017136189.tif 000005
【図４】
2017136189.tif 000006
【図５】
2017136189.tif 000007